(57)【要約】【課題】生コンクリートやモルタルなどを容易に剥離できるアルミニウム製の足場台を提供すること。【解決手段】足場となる板体を含む複数の部位がアルミニウム材により形成されている足場台であって、少なくとも前記板体の表面に所定厚みの塗膜を形成して足場面を保護するとともに、前記塗膜の表面性状をアルミニウム材の表面性状よりも高密度化して、生コンクリートやモルタルなどのセメントを含む建築材料の剥離性を高めた。また、前記塗膜は電着塗装あるいは焼付塗装により形成されていることとした。【選択図】図２
2011247052.tif 000002
【特許請求の範囲】
【請求項１】
足場となる板体を含む複数の部位がアルミニウム材により形成されている足場台であって、
少なくとも前記板体の表面に所定厚みの塗膜を形成して足場面を保護するとともに、前記塗膜の表面性状をアルミニウム材の表面性状よりも高密度化して、生コンクリートやモルタルなどのセメントを含む建築材料の剥離性を高めたことを特徴とする足場台。
【請求項２】
前記板体は陽極酸化処理を施して形成した陽極酸化被膜面に前記塗膜が形成されていることを特徴とする請求項１に記載の足場台。
【請求項３】
前記塗膜は電着塗装により形成されていることを特徴とする請求項１又は２に記載の足場台。
【請求項４】
前記塗膜は焼付塗装により形成されていることを特徴とする請求項１又は２に記載の足場台。
【請求項５】
前記塗膜を形成する塗料中にメラミン樹脂が含まれていていることを特徴とする請求項１〜４のいずれか１項に記載の足場台。
【発明の詳細な説明】
【技術分野】
【０００１】
本発明は、アルミニウム材に対して、生コンクリートやモルタルなどのセメントを含む建築材料の剥離性を高めた足場台に関する。
【背景技術】
【０００２】
従来、足場台として、建築現場などにおける架設足場や、折畳式の脚柱を具備する移動式作業台が広く用いられている。仮設足場の枠組用の支柱間に掛け渡される足場板や、移動式作業台の天板からなる足場板などにはアルミニウム材が用いられたものが多い。近年では、足場板のみならず、脚柱などの他の構成部位にもアルミニウム材が用いられることも多い。
【０００３】
かかる足場台は、通常、建築現場で用いられることが多く、例えば、生コンクリートやモルタルを使用する作業に用いられる。
【０００４】
また、建築現場で用いられるアルミニウム製の足場台はリース品であることが多く、リース業者は、多数の足場台を建築会社などに貸し出している。しかし、アルミニウムは生コンクリートやモルタルなどが付着しやすい性状を有しており、リース業者は、次の顧客に足場台を貸し出す際に、前の現場などで付着した生コンクリートやモルタルの除去作業に苦慮していた。
【０００５】
すなわち、足場台をリースする業者にとっては汚れた足場台は商品価値が落ちるので、特に生コンやモルタルが付着しやすい足場板に関しては前記生コンやモルタルの除去に時間をかけて処理している。しかし、これでは当然ながら人件費が嵩むことになる。また、生コンクリートやモルタルを、専用の機械を用いて機械的に除去しようとしても専用装置を導入するイニシャルコストが負担になる。また、かかる装置を用いたとしても、足場台の本体表面まで誤って削りとってしまう虞は未だ残されていた。
【０００６】
そこで、本出願人は、足場板の表面を美しく維持できるように、表面にシート材を取り替え自在に設けた足場台を提案した（例えば、特許文献１を参照。）。
【先行技術文献】
【特許文献】
【０００７】
【特許文献１】特開平１０−０１８５８５号公報
【発明の概要】
【発明が解決しようとする課題】
【０００８】
シート材を張り替えれば美しい状態が維持でき、確かに商品価値を損なうことはないかもしれないが、いちいちシート材を張り替えるのは面倒であった。特に、リース業者は多数の足場台を扱うため、シート材のコストとしても、労力にしても、やはりかなりの負担になってしまう。
【０００９】
本発明は、塗装面に付着したモルタルが容易に剥離できることを知見し、アルミニウム材からなる板体の表面に所定厚みの塗膜を形成することによって、上記課題を解決し得る足場台を提供することを目的としている。
【課題を解決するための手段】
【００１０】
（１）本発明は、足場となる板体を含む複数の部位がアルミニウム材により形成されている足場台であって、少なくとも前記板体の表面に所定厚みの塗膜を形成して足場面を保護するとともに、前記塗膜の表面性状をアルミニウム材の表面性状よりも高密度化して、生コンクリートやモルタルなどのセメントを含む建築材料の剥離性を高めたことを特徴とする。
【００１１】
（２）本発明は、上記（１）の足場台において、前記板体は陽極酸化処理を施して形成した陽極酸化被膜面に前記塗膜が形成されていることを特徴とする。
【００１２】
（３）本発明は、上記（１）又は（２）の足場台において、前記塗膜は電着塗装により形成されていることを特徴とする。
【００１３】
（４）本発明は、上記（１）又は（２）の足場台において、前記塗膜は焼付塗装により形成されていることを特徴とする。
【００１４】
（５）本発明は、上記（１）〜（４）のいずれかの足場台において、前記塗膜を形成する塗料中にメラミン樹脂が含まれていていることを特徴とする。
【発明の効果】
【００１５】
本発明によれば、アルミニウム材からなる足場台の表面を傷つけないように保護しつつ、生コンクリートやモルタルなどが付着しても、それらを速やかに除去することができ、ケレンの剥離効果を著しく高めた状態を長期に亘って維持することが可能となる。したがって、例えば、リース業者などでは、所有する多数の足場台のメンテナンスが極めて容易になる。特に、板体などの表面に付着した生コンクリートやモルタルなどの除去作業が容易となるため、労力軽減となるとともに、その労力軽減に応じた人件費の削減が可能となる。
【図面の簡単な説明】
【００１６】
【図１】実施形態に係る足場台に用いられる足場板の平面視による説明図である。
【図２】同足場板の正面視による説明図である。
【図３】足場板の変形例を示す説明図である。
【図４】他の実施形態に係る足場台に用いられる足場板の正面視による説明図である。
【発明を実施するための形態】
【００１７】
以下、本発明の一実施形態を、図面を参照しながら説明する。図１及び図２に示す第１の実施形態に係る足場板１は、建築現場等において、建築物の周囲に仮設足場として組まれた足場台に用いられるものである。
【００１８】
この足場板１は、アルミニウム材からなる板体１０を主な構成要素とするものであり、板体１０は、横長の矩形形状で、例えば、下面開放の薄型箱状に形成している。そして、板体１０の長手方向の両端部を、仮設足場のパイプ枠のうち、縦パイプ３に直交状態に架け渡された横棧パイプ４に係止することにより、作業者が自由に往来したり、作業したりする足場として使用されることになる。なお、以下では足場板１の板体１０の上側表面を足場面と呼ぶ。
【００１９】
かかる足場板１により構成される仮設足場では、生コンクリート（以下、単に「生コン」という場合がある）やモルタルを使用する作業が行われることが多く、例えば、足場板１の上で作業者が建築物の壁面にモルタルなどを塗布する場合がある。
【００２０】
このような用途に用いられる足場板１において、本実施形態では、足場板１の板体１０の表面に、所定厚みの塗膜１１を形成して足場面を保護するとともに、当該足場面の表面性状を高密度化して、生コンやモルタルなどのセメントを含む建築材料の剥離性を高めている。
【００２１】
すなわち、アルミニウム材からなる板体１０を足場として用いる足場板１であって、板体１０の表面に所定厚みの塗膜１１を形成して足場面を保護するとともに、当該足場面を形成する塗膜１１の表面性状を前記アルミニウム材の表面性状よりも高密度化したことに特徴がある。
【００２２】
ここで、前記塗膜１１は電着塗装により形成されている。しかも、電着塗装の前段工程として、板体１０に陽極酸化処理を施しており、板体１０の表面に陽極酸化被膜面を形成し、この陽極酸化被膜面に前記塗膜を形成するようにしている。すなわち、板体１０は陽極酸化処理（アルマイト処理）を施して形成した陽極酸化被膜（アルマイト被膜）面に塗膜１１が形成されている。
【００２３】
このように、電着塗装を行う前にアルマイト加工を施したことで、その後の塗装に用いられる塗料との密着度合いを向上させることができる。
【００２４】
また、電着塗装の際に用いる塗料中に、少なくともメラミン樹脂を含ませることが好ましい。このメラミン樹脂は研磨材や汚れ落とし材として用いられるもので、成分比として５〜２０重量％、好ましくは１０〜１５重量％の範囲で添加するとよい。
【００２５】
また、塗膜１１の厚みとしては、少なくとも１５μｍ以上の厚みとしている。このように、十分な厚みを有することから、板体１０の表面を保護する緩衝材としても機能する。したがって、工具などを落下させたり、硬い物品が衝突したりした場合、これまでのようにアルミニウム材の地肌が剥き出しのものよりもダメージが少なくなり、足場板１としての商品価値を著しく損なうことがない。
【００２６】
また、本実施形態では、電着塗装としているため、塗膜１１の厚みを所望する厚みに調整しやすく、低コストで任意の厚みの塗膜１１を形成することができる。
【００２７】
このように、本実施形態に係る足場板１は、板体１０の表面に十分な厚さの塗膜１１が形成されているため、足場面を保護することができるとともに、足場面の表面性状がアルミニウム材の表面性状よりも高密度化しており、生コンクリートやモルタルなどのセメントを含む建築材料の剥離性が高まり、付着した建築材料（生コンクリートやモルタル）を簡単に剥離させることができる。
【００２８】
例えば、前記建築材料が小さければ、水などによる高圧洗浄で容易に剥離させることができる。他方、建築材料が大きな塊であれば、これをハンマーなどで叩いて粉砕することで大きな塊は容易に剥離でき、板体１０の表面に小さな塊などが残った場合でも、小さい塊のときと同じように高圧洗浄で容易に剥離させることができる。
【００２９】
したがって、例えば足場等の建築資材等をリースする業者等にとっては、リース先から戻ってきた足場板１の表面が生コンやモルタルで汚れている場合でも、これらを簡単に剥離して次のリースに備えることができ、従来、手間をかけてモルタル等を除去していた作業が不要となってメンテナンスコストが大きく軽減される。
【００３０】
ところで、本実施形態における塗膜１１の形成は電着塗装としたが、焼付塗装としてもよい。要は、アルミニウム材の表面に被膜を形成して、アルミニウム材よりも生コンやモルタルなどに対する剥離性能が向上するように表面性状を変えることが叶えばよい。
【００３１】
なお、本実施形態では、仮設足場に用いる足場板１として、横桟パイプ４に載置するタイプで説明したが、例えば、図３に示すように、長手方向の両端部に、それぞれ係止フック２を取付け、この係止フック２を横桟パイプ４に係合するタイプとしてもよい。
【００３２】
また、板体１０の表面に塗膜１１が形成された足場板１は、本実施形態のような仮設足場のみならず、図４に示すように、足場台の一例である移動式作業台に適用することもできる。
【００３３】
図示するように、移動式作業台は、天板からなる足場板１に、４本の脚柱５を折畳自在に枢支連結した構成である。なお、この脚柱５は、中空の主脚部５０内に副脚部５１を摺動自在に嵌挿して脚柱５を伸縮自在に構成したものであり、さらに、足場板１の一方の短辺端部の脚柱５，５下端には、通常の立脚状態では接地しない状態でキャスター６をそれぞれ取付けている。
【００３４】
また、この脚注５をはじめとして、足場板１の他にアルミニウム材を用いた部位があれば、その表面に所定厚みの塗膜１１を形成することができる。
【００３５】
上述してきた実施形態より、以下の足場台が実現できる。
【００３６】
（１）足場となる板体１０（例えば、足場板、天板など）を含む複数の部位がアルミニウム材により形成されている足場台（例えば、仮設足場や移動式作業台など）であって、少なくとも板体１０の表面に所定厚みの塗膜１１を形成して足場面を保護するとともに、塗膜１１の表面性状をアルミニウム材の表面性状よりも高密度化して、生コンクリートやモルタルなどのセメントを含む建築材料の剥離性を高めた足場台。
【００３７】
（２）前記板体１０は陽極酸化処理を施して形成した陽極酸化被膜面に前記塗膜１１が形成されている足場台（例えば、仮設足場や移動式作業台など）。
【００３８】
（３）前記塗膜１１は電着塗装により形成されている足場台（例えば、仮設足場や移動式作業台など）。
【００３９】
（４）前記塗１１膜は焼付塗装により形成されている足場台（例えば、仮設足場や移動式作業台など）。
【００４０】
（５）前記塗膜１１を形成する塗料中にメラミン樹脂が含まれていている足場台（例えば、仮設足場や移動式作業台など）。
【符号の説明】
【００４１】
１    足場台
２    係止フック
１０    板体
１１    塗膜
【図１】
2011247052.tif 000003
【図２】
2011247052.tif 000004
【図３】
2011247052.tif 000005
【図４】
2011247052.tif 000006